(57)【要約】【課題】  リーダー・ライターからの交信磁界は金属等の導電体面を貫通すると渦電流を発生させる。この導電体面に近接して通勤定期券等の非接触ＩＣカードが存在すると渦電流による反磁界が交信磁界を打ち消し交信不能となる。このため、通勤定期券と通勤時等に使用したいディジタルオーディオプレイヤーは複合的収納が出来なかったがこれを可能とするものを提供する。【解決手段】  前記課題を解決するために本発明の携帯電子機器収納ケースは、ループアンテナを備え交流磁界を交信手段とする非接触ＩＣカードと携帯電子機器とを収納可能とする携帯電子機器収納ケースであって非接触ＩＣカードと携帯電子機器との間に磁性体を介在させた事を特徴とするものである。【選択図】図４
2009099102.tif 000002
【特許請求の範囲】
【請求項１】
ループアンテナを備え、交流磁界を交信手段とする非接触ＩＣカードとディジタルオーディオプレイヤー、ＰＤＡ、ゲーム機、ポケットラジオ等の携帯電子機器とを収納可能とする携帯電子機器収納ケースであって、該非接触ＩＣカードと携帯電子機器との間に磁性体を介在させた事を特徴とする携帯電子機器収納ケース。
【請求項２】
磁性体が少なくとも非接触ＩＣカードのループアンテナをカバーするサイズのシート状のものである請求項１記載の携帯電子機器収納ケース。
【請求項３】
少なくとも非接触ＩＣカードのループアンテナをカバーするサイズの請求項２記載の、磁性体を内設する隔壁部を設けた請求項１記載の携帯電子機器収納ケース。
【請求項４】
磁性体が、合成ゴム又は合成樹脂基材に磁性粉乃至は磁性フレークを分散させたシート状である請求項１、請求項２、請求項３記載の携帯電子機器収納ケース。
【発明の詳細な説明】
【技術分野】
【０００１】  本発明は非接触ＩＣカードを収納可能とする携帯電子機器収納ケースであって、収納した状態で非接触ＩＣカードがリーダー・ライターとの交信を可能とする収納ケースに関する。
【背景技術】
【０００２】  近年の非接触ＩＣカードには、いわゆる電子マネーと称されるプリペイドカードを始めＩＣカード乗車券、ＩＣカード定期券があり、既に広く普及している。【０００３】  また、携帯式電子機器の普及も目覚ましく、通勤途上の乗り物の中ではこれらの使用を目にしない事の方が珍しい程である。
【発明の開示】
【発明が解決しようとする課題】
【０００４】  電子回路が集積され、電子機器が超小型化されるにつれ、電子機器の多くは携帯式となり、人は携帯電話機を筆頭に種々の電子機器を携帯することになる。しかし、あれもこれも携帯するとなると実に煩わしく現実的ではない。このためにはこれらを複合化することが好ましいと言える。【０００５】  電子マネーや、ＩＣカード乗車券として広く普及している非接触ＩＣカードは１３．５６ＭＨｚ帯の電磁波を用いているのが一般的であり、これは交流磁界を交信手段とするものである。ところが、非接触ＩＣカードのループアンテナに金属等の導電体が近接すると、鎖交磁界が作る渦電流が交信磁界を打ち消す反磁界を生み、交信不能になるという欠点がある。【０００６】  前述の、複合化により携帯時の利便性を向上しようとするテーマに於いて、例えば非接触ＩＣカードを収納するパスケースとディジタルオーディオプレーヤーを複合しようとすると機能しないという問題に直面する。即ち電子機器は金属等でケースが形成されているか或いは、内部には電子回路の回路基板等の金属が存在するからである。【０００７】  本発明は非接触ＩＣカードを収納可能とする携帯電子機器収納ケースであって、収納した状態で非接触ＩＣカードがリーダー・ライターとの交信を可能とする収納ケースを実現する。
【課題を解決するための手段】
【０００８】前記課題を解決するための本発明は、ループアンテナを備え交流磁界を交信手段とする非接触ＩＣカードとディジタルオーディオプレイヤー、ＰＤＡ、ゲーム機、ポケットラジオ等の携帯電子機器とを収納可能とする携帯電子機器収納ケースであって、非接触ＩＣカードと携帯電子機器との間に磁性体を介在させた事を特徴とするものである。
【発明を実施するための形態】
【０００９】  以下本発明の実施の形態を図面を参照して説明する。図１、図２、図３は本発明に係る携帯電子機器収納ケースの構成を示す図であり、携帯電子機器収納ケース１には非接触ＩＣカード収納部３及び携帯電子機器収納部４が設けられ、これらの間には少なくとも非接触ＩＣカードのループアンテナをカバーするサイズの磁性体２を内接する隔壁部７が設けられている。
【００１０】  図示しないが、磁性体を介在させる形態として、前記磁性体を内設する隔壁部を設ける事なく、磁性体が少なくとも非接触ＩＣカードのループアンテナをカバーするサイズのシート状のもので、これが非接触ＩＣカードと携帯電子機器との間にいわゆるサンドウイッチ状態に介在することで機能する事は言うまでもない。
【００１１】  図４、図５、図６端本発明に係る携帯電子機器収納ケース１にＩＣカード定期券８及びディジタルオーディオプレイヤー９を収納した状態を示す図である。
【００１２】  携帯電子機器収納ケース１は皮革、合成皮革、布、合成樹脂等の導電性を有しないものが好ましく、金属等は好ましくない。
【００１３】  磁性体には種々のものが用いられるが、例えば非接触ＩＣカードの交信周波数が１３．５６ＭＨｚ帯である場合、その透磁率μ′＝６０程度、μ″＜５が理想的結果が得られるが、例えば自動改札機のリーダー・ライターのような出力が大きなものにあっては透磁率（μ′−μ″）は２０程度であっても十分機能する。
【００１４】  磁性体には合成ゴム又は合成樹脂基材に磁性粉乃至は磁性フレークを分散させたシート状のもの、例えばＦＬＥＸＯＮ（登録商標）の名前で販売されている磁性シート等はフレキシブルなシート状の磁性体であるので、焼結体の磁性体と比べて衝撃で割れて磁性特性が低下するといった事も無く、携帯を前提とする本発明の実施態様として好ましいものと言える。
【００１５】  ここで本発明の作用を述べると、磁性体を介在させない場合は前述の交信不能の不都合を生ずるが、磁性体の介在により、リーダー・ライターから発せられた交信磁界のほとんどはＩＣカードを貫通し、磁性体の中に集束されリーダー・ライターに戻るループを形成する。即ち交信磁界は導電体である携帯電子機器を貫通する事なく、磁性体をバイパスするため鎖交磁界とならず、交信磁界を打ち消す反磁界を生ずる事も無く正常な交信が得られる事となる。
【発明の効果】
【００１６】  以上の通り本発明によれば、本来不可能であった例えば通勤時に携帯するＩＣカード定期券と通勤途上に使用したいディジタルオーディオプレイヤーとが一体に複合化でき利便性の高いものが実現する。
【００１７】  非接触ＩＣカードは前述のとおり、金属等の導電体と近接させると機能しなくなる不都合があるため硬貨が入ったパスケースに収納したり、アルミ蒸着された導電層をもつポイントカードが入った財布等に収納するとエラー乃至は不安定な交信状態を生むものである。自動改札機でのエラーは自身のみならず後続の乗客のひんしゅくを買い、いたたまれない気分を味わわせられるものである。本発明は磁性体を介在させる事で、非接触ＩＣカードのループアンテナ内に確実に交信磁界を導く。このため、極めて安定した交信が保証され、複合的利便性に勝る効果が実証されているものである。
【図面の簡単な説明】
【００１８】
【図１】本発明の実施例の、非接触ＩＣカード、携帯電子機器を収納しない状態を示す平面図。
【図２】本発明の実施例の、非接触ＩＣカード、携帯電子機器を収納しない状態を示す正面図。
【図３】本発明の実施例の、非接触ＩＣカード、携帯電子機器を収納しない状態を示す側断面図。
【図４】本発明の実施例の、非接触ＩＣカード、携帯電子機器を収納した状態を示す平面図。
【図５】本発明の実施例の、非接触ＩＣカード、携帯電子機器を収納した状態を示す正面図。
【図６】本発明の実施例の、非接触ＩＣカード、携帯電子機器を収納した状態を示す側断面図。
【符号の説明】
【００１９】１、携帯電子機器収納ケース
２、磁性体
３、非接触ＩＣカード収納部
４、携帯電子機器収納部
５、表示窓
６、操作窓
７、磁性体を内設する隔壁部
８、ＩＣカード定期券
９、ディジタルオーディオプレイヤー
１０、液晶表示部
１１、十字キー操作部
【図１】
2009099102.tif 000003
【図２】
2009099102.tif 000004
【図３】
2009099102.tif 000005
【図４】
2009099102.tif 000006
【図５】
2009099102.tif 000007
【図６】
2009099102.tif 000008